(57)【要約】【課題】緯糸測長貯留装置において、ドラム片とドラム取付部材との取付隙間への緯糸の進入を防止する。【解決手段】ドラム７を構成する複数のドラム片７１がドラム取付部材７２に取り付けられ、回転ヤーンガイド６がドラム７の周りを回転することによって、緯糸２をドラム７に巻き付ける緯糸測長貯留装置１において、ドラム片７１の回転ヤーンガイド６の回転方向上流側に、ドラム取付部材７２の軸方向において取付面７３の位置から前方に延在し、かつドラム片７１とドラム取付部材７２との取付隙間１２の幅以上に延在する緯糸進入阻止部材２１を設けることにより、取付隙間１２への緯糸２の進入を防止する。【選択図】図４
2004225237.tif 000002
【特許請求の範囲】
【請求項１】
ドラムを構成する複数のドラム片がドラム取付部材に取り付けられ、回転ヤーンガイドがドラムの周りを回転することによって、緯糸をドラムに巻き付ける織機の緯糸測長貯留装置において、
ドラム片の回転ヤーンガイドの回転方向上流側に、ドラム取付部材の軸方向において取付面位置から前方に延在し、かつドラム片とドラム取付部材との取付隙間の幅以上に延在する緯糸進入阻止部材を設けたことを特徴とする緯糸測長貯留装置の誤動作防止装置。
【請求項２】
ドラム取付部材に、ドラム片を移動可能に収容可能であり、ドラム取付部材の半径方向に延在する溝を形成して、回転ヤーンガイドの回転方向上流側の溝壁部を緯糸進入阻止部材としたことを特徴とする請求項１記載の緯糸測長貯留装置の誤動作防止装置。
【請求項３】
少なくとも対応するドラム片の回転ヤーンガイドの回転方向下流側の溝壁角部をＣ面取りないしＲ面取りにより形成することを特徴とする請求項２記載の緯糸測長貯留装置の誤動作防止装置。
【請求項４】
ドラム取付部材の取付面に固定された緯糸進入阻止部材であって、一端が回転ヤーンガイドの糸口の移動軌跡の内側領域に位置し、他端が一端に対してドラム取付部材の半径方向においてドラム取付部材の中心に近づくように延在することを特徴とする請求項１記載の緯糸測長貯留装置の誤動作防止装置。
【請求項５】
緯糸進入阻止部材の少なくともドラム取付部材外側に位置する先端がドラム取付部材の取付面位置よりも後方に位置しており、取付面位置より前方にかつ屈曲して取付面に沿って延在していることを特徴とする請求項１または請求項４記載の緯糸測長貯留装置の誤動作防止装置。
【請求項６】
緯糸進入阻止部材は対応するドラム片の調整移動方向に対して平行に移動可能であることを特徴とする請求項１または請求項４記載の緯糸測長貯留装置の誤動作防止装置。
【請求項７】
少なくとも緯糸進入阻止部材の一部が、ドラム片に対して回転ヤーンガイドの回転方向上流側であって、かつドラム取付部材外側のドラム片の角部近傍に位置するように設けられていることを特徴とする請求項１、請求項４または請求項５記載の緯糸測長貯留装置の誤動作防止装置。
【発明の詳細な説明】
【技術分野】
【０００１】
本発明は、織機の緯糸測長貯留装置において、緯糸測長貯留用のドラムを構成する複数のドラム片とドラム取付部材との取付隙間に、回転ヤーンガイドからの緯糸の進入を阻止する装置に関する。
【背景技術】
【０００２】
図１は、後方に緯糸測長装置を備えた従来の一般的なドラム式緯糸測長貯留装置、例えば特許文献１のドラム式の緯糸測長貯留装置１を開示している。この図１において、緯糸２は、給糸体３に巻き付けられており、一対のローラ４（緯糸測長装置）の回転により引き出され、フライヤ５の中を通過し、フライヤ５の旋回側先端の回転ヤーンガイド６から出て、測長貯留用のドラム７の外周で係止ピン８により係止されている。この状態でフライヤ５は、回転することにより回転ヤーンガイド６をドラム７の外周回りに移動させ、緯糸２をドラム７に巻き付けて、ドラム７上で１回の緯入れに必要な長さの緯糸２を測長しながら緯入れ時点まで貯留させている。
【０００３】
緯入れ時、係止ピン８が後退すると、ドラム７の外周上に巻き付けられていた状態の緯糸２が一度に解舒され、回転ヤーンガイド６からクランパ１１側の固定ヤーンガイド９までの間において、図１の（１）のように、緯糸２が螺旋を形成しながら飛走する。緯糸２が螺旋状となって飛走する間にも、フライヤ５が回転し続け、ドラム７に巻き付けられた緯糸２が全て解舒された後、螺旋状の緯糸２のうち上流側部分、すなわち回転し続ける回転ヤーンガイド６側の緯糸２は、図の（２）のように空気抵抗および緯糸２の緩みにより暴れ、不規則な動きをしてしまう。また、緯糸２が全て解舒された後、緯糸２は回転ヤーンガイド６からドラム７を介さずに直接緯入れノズル１０に送られる。
【０００４】
緯入れ時に、クランパ１１は緯糸２を開放し、緯入れノズル１０は、緯入れ流体を噴射することにより、解舒された緯糸２を経糸１３の開口１４の中に緯入れする。緯入れされた緯糸２は、筬１５により筬打ちされて織布１６となり、その後、織布１６の両端部でカッタ１７により切断され、緯入れノズル１０の内部の緯糸２から分離する。
【０００５】
ドラム７が複数例えば４個のドラム片７１から構成され、これらのドラム片７１が円板状のドラム取付部材７２の面に円弧にそって周方向で不連続な状態として取付けられる場合、図２のように、ドラム片７１とドラム取付部材７２との接合部分に、ドラム片７１の端部面取り加工（Ｒ加工）によって取付隙間１２ができる。このため、緯糸２が暴れて不規則な動きをしているときに、緯糸２は、図２のように、回転ヤーンガイド６の回転方向上流側の取付隙間１２に入り込み、そこに引っ掛かってしまう。これによって、織機が停台してしまうという欠点がある。
【特許文献１】特公平８−３０２９８号公報
【発明の開示】
【発明が解決しようとする課題】
【０００６】
したがって、本発明の課題は、緯糸測長貯留装置において、ドラム片とドラム取付部材との取付隙間への緯糸の進入を防止できるようにすることである。
【課題を解決するための手段】
【０００７】
上記目的のもとに、請求項１に係る発明は、ドラムを構成する複数のドラム片がドラム取付部材に取り付けられ、回転ヤーンガイドがドラムの周りを回転することによって、緯糸をドラムに巻き付ける織機の緯糸測長貯留装置において、ドラム片の回転ヤーンガイドの回転方向上流側に、ドラム取付部材の軸方向において取付面位置から前方に延在し、かつドラム片とドラム取付部材との取付隙間の幅以上に延在する緯糸進入阻止部材を設けることにより、緯糸測長貯留装置の誤動作防止装置を構成している。
【０００８】
請求項２に係る発明は、ドラム取付部材に、ドラム片を移動可能に収容可能とし、ドラム取付部材の半径方向に延在する溝を形成して、回転ヤーンガイドの回転方向上流側の溝壁部を緯糸進入阻止部材としている。
【０００９】
請求項３に係る発明は、少なくとも対応するドラム片の回転ヤーンガイドの回転方向下流側の溝壁角部をＣ面取りないしＲ面取りにより形成している。
【００１０】
請求項４に係る発明は、ドラム取付部材の取付面に固定された緯糸進入阻止部材の一端を回転ヤーンガイドの糸口の移動軌跡の内側領域に位置し、他端を一端に対してドラム取付部材の半径方向においてドラム取付部材の中心に近づくように延在させている。例えばこの緯糸進入阻止部材を対応するドラム片の調整移動方向に対して平行ないし垂直な方向に延在させてもよい。
【００１１】
請求項５に係る発明は、緯糸進入阻止部材の少なくともドラム取付部材外側に位置する先端がドラム取付部材の取付面位置よりも後方に位置しており、取付面位置より前方にかつ屈曲して取付面に沿って延在させている。
【００１２】
請求項６に係る発明は、緯糸進入阻止部材を対応するドラム片の調整移動方向に対して平行に移動可能としている。
【００１３】
請求項７に係る発明は、少なくとも緯糸進入阻止部材の一部を、ドラム片に対して回転ヤーンガイドの回転方向上流側であって、かつドラム取付部材外側のドラム片の角部近傍に位置するように設けている。
【発明の効果】
【００１４】
請求項１の発明によると、ドラム片とドラム取付部材との取付隙間は、回転ヤーンガイドの回転方向上流側に開口しているが、対応するドラム片の回転ヤーンガイドの回転方向上流側に緯糸進入阻止部材が設けられているから、回転ヤーンガイドによって回転方向上流側から移動してくる緯糸は、緯糸進入阻止部材により上記取付隙間の幅以上の前方に押しやられる。このため、緯糸が取付隙間に進入するのを防止できる。これによって停台回数が減少し稼働率が向上する。この結果、緯糸が緩みやすく暴れやすい糸種でも製織可能となるので、緯糸測長貯留装置の汎用性が向上する。
【００１５】
請求項２の発明によると、溝にドラム片を収容することによって、取付隙間が溝内に位置し、溝壁部が取付隙間を塞ぐことになるので、緯糸が取付隙間に進入するのを防止できる。
【００１６】
請求項３によると、溝壁角部をＣ面取りまたはＲ面取りすることによって、回転ヤーンガイドによって移動する緯糸が溝壁角部に引っ掛かるのを防止できる。
【００１７】
請求項４によると、回転ヤーンガイドによって回転方向上流側から移動される緯糸が緯糸進入阻止部材と衝突した場合、取付隙間よりも前方に緯糸を逃がすことができるので、緯糸が取付隙間に進入するのを防止できる。
【００１８】
請求項５によると、先端はドラム取付部材の取付面位置よりも後方に位置しており、かつ取付面位置より前方に延在しているので、この部分は取付面位置を境にして取付隙間が無く連続的に延在しており、取付面と緯糸進入阻止部材との取付隙間に緯糸が引っ掛かるのを防止できる。
【００１９】
請求項６によると、緯糸進入阻止部材を移動可能とすることで、緯糸の引っ掛かりに対する調整を行うことができる。
【００２０】
請求項７によると、緯糸の引っ掛かりは上記角部近傍において一番起こりやすいので、この近傍に緯糸進入阻止部材の一部が位置するように設けるようにすることで、効果的に緯糸の引っ掛かりを防止できる。
【発明を実施するための最良の形態】
【００２１】
本発明は、図１のように、回転ヤーンガイド６をドラム７の周りにすなわちドラム取付部材７２の外側に回転させることにより、緯糸２をドラム７に巻き付ける形式の織機の緯糸測長貯留装置１を前提としている。ドラム７は、図３ないし図１１に見られるように、複数例えば４個のドラム片７１により構成されており、それぞれのドラム片７１は、円板状のドラム取付部材７２の前面すなわち取付面７３に、取付面７３の中心を円の中心とする円弧にそって中心角９０度のもとに取付けられている。各ドラム片７１は、その外側面により緯糸２を巻き付けるためのドラム面７４を形成しているが、ドラム面７４は、周方向で連続しておらず、不連続な状態となっている。ドラム片７１とドラム取付部材７２との接合部分には、ドラム片７１の端部面取り加工（Ｒ加工）によって取付隙間１２ができており、これが前述の問題となっいる。
【００２２】
図３ないし図１１は、本発明の緯糸測長貯留装置の誤動作防止装置２０の各実施の形態を示している。図３ないし図１１の全ての実施の形態において、緯糸測長貯留装置の誤動作防止装置２０は、ドラム片７１毎にまたは特定のドラム片７１毎に、緯糸進入阻止部材２１を有している。緯糸進入阻止部材２１は、ドラム取付部材７２に取り付けられ、ドラム片７１の回転ヤーンガイド６の回転方向上流側に、ドラム取付部材７２の軸方向において取付面７３の位置から前方に延在し、かつドラム片７１とドラム取付部材７２との取付隙間１２の幅以上に円周方向に延在している。
【００２３】
ドラム片７１とドラム取付部材７２との取付隙間１２は、回転ヤーンガイド６の回転方向上流側に開口しているが、対応するドラム片７１の回転ヤーンガイド６の回転方向上流側に緯糸進入阻止部材２１が設けられているため、回転ヤーンガイド６によって回転方向上流側から下流側に移動する緯糸２は、緯糸進入阻止部材２１により取付隙間１２の幅以上の前方に押しやられるので、取付隙間２１に進入しない。このようにして、取付隙間１２への緯糸２の進入が防止できる。よって停台回数が減少し、稼働率が向上する。しかも緯糸２が緩みやすく、暴れやすい糸種でも製織可能となるので汎用性が向上する。
【００２４】
図３ないし図１１のうち、図３は実施の形態１、図４ないし図６は実施の形態２、図７は実施の形態３、図８は実施の形態４、図９は実施の形態５、図１０は実施の形態６、図１１は実施の形態７に対応している。これらの実施の形態１ないし実施の形態７は、緯糸進入阻止部材２１の具体的な構成を示している。以下にこれらの実施の形態を順次に説明する。
【００２５】
〔図３の実施の形態１〕
実施の形態１は、ドラム取付部材７２の取付面７３に、ドラム取付部材７２の半径方向に延在する十字状の溝７５を形成し、この溝７５に４つのドラム片７１を移動可能に収容するとともに、回転ヤーンガイド６の回転方向上流側の溝壁部７６を緯糸進入阻止部材２１とする態様である。溝７５の深さは取付隙間１２よりも深くなっている。それぞれのドラム片７１は溝７５内に収まり、溝７５内の半径方向の長孔７７に沿って位置調整した後にボルト・ナット１８により締め付けて、ドラム取付部材７２に固定されている。
【００２６】
溝７５の内部にドラム片７１が収まることにより、取付隙間１２が溝７５内に位置し、溝壁部７６による緯糸進入阻止部材２１が取付隙間１２を塞ぐことになる。これによって緯糸２が取付隙間１２に進入することを防止できる。
【００２７】
なお、溝壁部７６は、通常、溝７５の底面に対して直角であるが、少なくとも回転ヤーンガイド９の回転方向下流側に対応する溝壁部７６は、一部拡大のように、溝７５の底面に対して直角でなく、傾斜していてもよく、また溝壁部７６の角部（溝底側凹角部および溝上面側凸角部）はＣ面取りまたはＲ面取りにより形成することもできる。面取りの形成によると、回転ヤーンガイド６によって移動する緯糸２が溝壁部７６の角部特に溝上面側凸角部に引っ掛かるのを防止でき、緯糸２の滑り移動の抵抗が軽減できることになる。
【００２８】
〔図４ないし図６の実施の形態２〕
実施の形態２は、ドラム取付部材７２の取付面７３に固定された線状の緯糸進入阻止部材２１の一端を回転ヤーンガイド６の糸口の移動軌跡の内側領域に位置させ、他端を一端に対してドラム取付部材７２の半径方向においてドラム取付部材７２の中心に近づくように延在させ、この緯糸進入阻止部材２１を対応するドラム片７１の調整移動方向に対して平行ないし垂直な方向に延在させる態様である。
【００２９】
図４および図５の線状の緯糸進入阻止部材２１は、ドラム取付部材７２の外周側に位置する先端でドラム取付部材７２の位置決め孔７８に挿入され、取付面７３の位置よりも後方に位置しており、取付面７３の位置より前方に屈曲して取付面７３に沿って延在し、ドラム取付部材７２の中心側に位置する他端で取付面７３に止めねじ１９によって固定されている。ドラム片７１がドラム取付部材７２に対して最も外側の位置に位置調整された時に、ドラム片７１の外側の角部近傍に緯糸進入阻止部材２１の一端が位置するようになっており、また逆にドラム片７１がドラム取付部材７２に対して最も内側の位置に位置調整された時に、緯糸進入阻止部材２１の他端がドラム片７１の角部近傍よりもさらに中心方向に位置するようにねじ止めされている。このように、緯糸進入阻止部材２１は、ドラム片７１の調整移動領域の範囲で、常にドラム片７１の回転ヤーンガイド６の回転方向上流側の角部を覆う位置にある。
【００３０】
緯糸進入阻止部材２１は、図６の（１）のように、板状体により構成してもよく、その一端を位置決め孔７８に入れないで、ドラム取付部材７２の取付面７３の位置と同位置とし、他端を取付面７３に止めねじ１９によって固定してもよい。また、線状の緯糸進入阻止部材２１の両端は、図６の（２）のように、ともに位置決め孔７８に入れ、ドラム取付部材７２の取付面７３の位置よりも後方に位置させてもよい。この場合、接着剤あるいは摩擦的な係止め等で緯糸進入阻止部材２１を固定する。
【００３１】
緯糸進入阻止部材２１の少なくともドラム取付部材７２の外側に位置する先端がドラム取付部材７２の取付面７３の位置よりも後方に位置しており、かつ取付面７３の位置より前方にかつ屈曲して取付面７３に沿って延在しており、この部分に取付面７３の位置を境にして取付隙間が無く連続的に延在しているから、回転ヤーンガイド６によって回転方向上流側から移動してくる緯糸２が緯糸進入阻止部材２１と衝突した場合、緯糸進入阻止部材２１と取付面７３との取付隙間１２に緯糸２が引っ掛からずに、取付隙間１２よりも前方に緯糸２を逃がすことができるので、緯糸２が取付隙間１２に進入するのを防止することができる。
【００３２】
〔図７の実施の形態３〕
実施の形態３は、ドラム取付部材７２の取付面７３に対して、板状の緯糸進入阻止部材２１を対応するドラム片７１より回転ヤーンガイド６の回転方向上流側でドラム取付部材７２の外側からドラム片７１の調整移動方向に対して平行に延在させる態様である。板状の緯糸進入阻止部材２１の外周縁側の一端はドラム取付部材７２の取付面７３の位置よりも後方に位置しており、板状の緯糸進入阻止部材２１は取付面７３の位置より前方にかつ屈曲して延在している。このように、緯糸２が緯糸進入阻止部材２１に対して円滑に通過できるように、緯糸進入阻止部材２１は側面から見て屈曲している。
【００３３】
なお、緯糸進入阻止部材２１は、図７の（１）に二点鎖線で示すように、対応するドラム片７１の調整移動方向に対して直角に延在してもよい。また緯糸進入阻止部材２１の取付け側部分が図７の（１）に二点鎖線で示すように、ドラム取付部材７２から外側にはみ出す場合には、緯糸進入阻止部材２１の取付け側部分の外側を円弧状に形成する。このように形成すれば、緯糸２が緯糸進入阻止部材２１に引っ掛かるのを防止できる。
【００３４】
このように、緯糸進入阻止部材２１は、その先端（ドラム取付部材７２の外周側先端）の部分でドラム取付部材７２の取付面７３の位置よりも後方に位置しており、かつ殆どの部分で取付面７３の位置より前方に延在しているので、この部分に取付面７３の位置を境にして取付隙間が無くなり、取付面７３と緯糸進入阻止部材２１との取付隙間に緯糸２が引っ掛かるのを防止できる。
【００３５】
〔図８の実施の形態４〕
実施の形態４は、線状の緯糸進入阻止部材２１を対応するドラム片７１の調整移動方向と直角方向に延在させ、かつその取付け側の一端をドラム取付部材７２の取付け孔７９に差し込んでの取付面７３の位置よりも後方に位置させており、取付面７３の位置より前方の部分を緯糸２の移動方向に向けて屈曲した状態として延在させる態様である。なお、取付け孔７９が長孔７７に対して平行な長い孔であり、この長い孔に対して線状の緯糸進入阻止部材２１がナットにより締めつける構成とすれば、緯糸進入阻止部材２１はドラム片７１と同様に調整移動方向に対して平行に移動可能にすることもできる。
【００３６】
〔図９の実施の形態５〕
実施の形態５は、線状の緯糸進入阻止部材２１を対応するドラム片７１の調整移動方向と直角に配置し、かつその両端をドラム取付部材７２の取付け孔７９に差し込んで取付面７３の位置よりも後方に位置させるとともに、取付面７３の位置より前方の部分を屈曲させ、ドラム片７１の外側裾部分をまたがるようにしてドラム取付部材７２の外側に設ける態様である。なお、前記の実施の形態４の緯糸進入阻止部材２１は、この実施の形態５において、回転ヤーンガイド６の回転方向上流側の緯糸進入阻止部材２１の一端部分に相当する。この部分が取付隙間１２に緯糸２の進入を阻止する部分である。
【００３７】
〔図１０の実施の形態６〕
実施の形態６は、実施の形態５と同じ緯糸進入阻止部材２１をドラム片７１の外側裾部分をまたがないようにして、ドラム片７１の外側の位置でドラム取付部材７２に設ける態様である。この実施の形態５で、緯糸進入阻止部材２１は、固定されており、移動できないが、長孔７７に対して平行な長い取付け孔７９と、緯糸進入阻止部材２１の固定用のナットとを用いて、締めつけて固定する構成とすれば、緯糸進入阻止部材２１はドラム片７１と同様に調整移動方向に対して平行に移動可能となる。
【００３８】
〔図１１の実施の形態７〕
実施の形態７は、実施の形態３において、緯糸進入阻止部材２１の取付け側の部分をコ字形に屈曲させ、その背部に押しねじ２２をねじ込み、ドラム取付部材７２に押しねじ２２を押しつけて固定する態様である。緯糸進入阻止部材２１は、板状でコの字状であり、ドラム取付部材７２を挟むように取り付けられ、対応するドラム片７１よりドラム取付部材７２の外側からドラム片７１の調整移動方向に対して平行に延在している。
【産業上の利用可能性】
【００３９】
各実施の形態において、緯糸進入阻止部材２１は線状または板状等形状を問わず、またドラム取付部材７２の一部を利用して構成することもできる。さらに、４つ存在するドラム片７１に対していずれか１つまたは２以上のものに緯糸進入阻止部材２１を設けることができる。
【図面の簡単な説明】
【００４０】
【図１】従来の一般的なドラム式の緯糸測長貯留装置１を示し、（１）は解舒直後の説明図、（２）は解舒後のフライヤ回転時の説明図である。
【図２】ドラム式の緯糸測長貯留装置１においてドラム片７１とドラム取付部材７２との間にある取付隙間１２の説明図である。
【図３】本発明の実施の形態１による緯糸測長貯留装置の誤動作防止装置２０において、（１）はその正面図、（２）はその側面図である。
【図４】本発明の実施の形態２による緯糸測長貯留装置の誤動作防止装置２０において、（１）はその正面図、（２）はその側面図である。
【図５】本発明の実施の形態２による緯糸進入阻止部材２１の平面図である。
【図６】本発明の実施の形態２による緯糸進入阻止部材２１の平面図である。
【図７】本発明の実施の形態３による緯糸測長貯留装置の誤動作防止装置２０において、（１）はその正面図、（２）はその側面図である。
【図８】本発明の実施の形態４による緯糸測長貯留装置の誤動作防止装置２０において、（１）はその正面図、（２）はその側面図である。
【図９】本発明の実施の形態５による緯糸測長貯留装置の誤動作防止装置２０において、（１）はその正面図、（２）はその側面図である。
【図１０】本発明の実施の形態６による緯糸測長貯留装置の誤動作防止装置２０において、（１）はその正面図、（２）はその側面図である。
【図１１】本発明の実施の形態７による緯糸測長貯留装置の誤動作防止装置２０において、（１）はその正面図、（２）はその側面図である。
【符号の説明】
【００４１】
１  緯糸測長貯留装置                ７１  ドラム片
２  緯糸                            ７２  ドラム取付部材
３  給糸体                          ７３  取付面
４  ローラ                          ７４  ドラム面
５  フライヤ                        ７５  溝
６  回転ヤーンガイド                ７６  溝壁部
７  ドラム                          ７７  長孔
８  係止ピン                        ７８  位置決め孔
９  固定ヤーンガイド                ７９  取付け孔
１０  緯入れノズル
１１  クランプ
１２  取付隙間
１３  経糸
１４  開口
１５  筬
１６  織布
１７  カッタ
１８  ボルト・ナット
１９  止めねじ
２０  ドラム式緯糸測長貯留装置の誤動作防止装置
２１  緯糸進入阻止部材
２２  押しねじ
【図１】
2004225237.tif 000003
【図２】
2004225237.tif 000004
【図３】
2004225237.tif 000005
【図４】
2004225237.tif 000006
【図５】
2004225237.tif 000007
【図６】
2004225237.tif 000008
【図７】
2004225237.tif 000009
【図８】
2004225237.tif 000010
【図９】
2004225237.tif 000011
【図１０】
2004225237.tif 000012
【図１１】
2004225237.tif 000013